(57)【要約】【課題】ホルダと、ホルダにヒンジ部を介して結合するカバーとを有する照明装置、及び照明装置を備えたドアトリムにおいて、ヒンジ部における光の漏れを防止する。【解決手段】表面に発光素子５が実装された基板７を支持するホルダ１０と、ホルダにヒンジ部４５を介して連結され、ホルダと協働して基板を収容する収容室４７を画定するカバー１１と、発光素子からの光を導出するためにカバーに設けられた導光孔４２Ａとを有する照明装置１であって、カバーをホルダに対して閉じたときに、ホルダ及びカバーの一方からヒンジ部におけるホルダ及びカバーの合わせ面７２Ａ、８２Ａを超えて延出する遮光片７０が設けられている。【選択図】図４
2020021645.tif 000002
【特許請求の範囲】
【請求項１】
表面に発光素子が実装された基板を支持するホルダと、
前記ホルダにヒンジ部を介して連結され、前記ホルダと協働して前記基板を収容する収容室を画定するカバーと、
前記発光素子からの光を導出するために前記カバーに設けられた導光部とを有する照明装置であって、
前記カバーを前記ホルダに対して閉じたときに、前記ホルダ及び前記カバーの一方から前記ヒンジ部における前記ホルダ及び前記カバーの合わせ面を超えて延出する遮光片が設けられていることを特徴とする照明装置。
【請求項２】
前記ホルダが底壁と前記底壁の縁部に設けられた端壁とを有し、
前記ヒンジ部は前記端壁に結合され、
前記遮光片が前記カバーから、前記カバーを前記ホルダに対して閉じたときに前記ホルダの前記端壁に重合すべく延出していることを特徴とする請求項１に記載の照明装置。
【請求項３】
前記ホルダの前記端壁には、外方に向かって凹む凹部が設けられ、
前記カバーを前記ホルダに対して閉じたときに、前記遮光片が前記凹部に受容されることを特徴とする請求項２に記載の照明装置。
【請求項４】
前記凹部は、前記端壁の端部を外方に段違いに屈曲させることによって形成された段違い部を含むことを特徴とする請求項３に記載の照明装置。
【請求項５】
前記段違い部の端部に外向きに延出するフランジが設けられ、
前記フランジの遊端に前記ヒンジ部が設けられていることを特徴とする請求項４に記載の照明装置。
【請求項６】
前記段違い部は、前記底壁に略平行な水平壁と、前記水平壁に垂直な垂直壁とを有し、
前記遮光片が前記端壁よりも薄く、且つ、前記垂直壁及び前記水平壁に密接して配置されていることを特徴とする請求項５に記載の照明装置。
【請求項７】
前記ホルダが前記底壁、及び前記端壁に接続し、互いに対向する一対のホルダ側壁を有し、
前記カバーが、前記カバーを前記ホルダに対して閉じたときに、前記ホルダ側壁に重合するべきカバー側壁を有することを特徴とする請求項２〜請求項６のいずれか１つの項に記載の照明装置。
【請求項８】
２つの前記ホルダ側壁がともに前記端壁に連続的に接続され、２つの前記カバー側壁がともに前記遮光片に連続的に接続されていることを特徴とする請求項７に記載の照明装置。
【請求項９】
前記導光部は前記カバーを貫通する孔部を含み、
前記孔部が、２つの前記カバー側壁及び前記遮光片に囲まれている領域に配置されていることを特徴とする請求項８に記載の照明装置。
【請求項１０】
前記カバーが平板状の平板部を有し、
前記平板部の収容室側を向く面に複数の補強リブが設けられ、
前記補強リブは前記遮光片に接続していることを特徴とする請求項９に記載の照明装置。
【請求項１１】
前記孔部に受容された導光体を更に有し、
前記補強リブが前記孔部に突入し、前記導光体が衝当するべき位置決め部を形成していることを特徴とする請求項１０に記載の照明装置。
【請求項１２】
前記ヒンジ部が樹脂ヒンジをなすことを特徴とする請求項１〜請求項１１のいずれか１つの項に記載の照明装置。
【請求項１３】
ドアトリムであって、請求項１〜請求項１２のいずれか１つの項に記載の前記照明装置が設けられていることを特徴とするドアトリム。
【発明の詳細な説明】
【技術分野】
【０００１】
本発明は、車両用の照明装置、及び、その照明装置が設けられた車両用のドアトリムに関する。
【背景技術】
【０００２】
車両用灯具（照明装置）であって、発光体を収容するとともに外部に開口する凹部を備えたボディと、凹部の開口縁に装着されるレンズと、ボディとレンズとを接続する樹脂製の薄肉ヒンジ部とを備えたものが公知である（例えば、特許文献１）。車両用灯具は、ヒンジ部を折り曲げてボディの開口をレンズによって閉じた後、レンズをボディに掛け止めすることによって組み立てられる。
【先行技術文献】
【特許文献】
【０００３】
【特許文献１】実公平４−２１２０１号公報
【発明の概要】
【発明が解決しようとする課題】
【０００４】
このように薄肉ヒンジ部によってボディとレンズとを結合した照明装置では、発光体からの光が薄肉部分を透過して外部に漏れる場合がある。また、平蝶番等の回動軸を有するヒンジ部によってボディとレンズとを結合した照明装置では、発光体からの光が回動軸近傍の隙間を通って外部に漏れる場合がある。このようなヒンジ部における光の漏れは、照明装置の意匠性を低下させる要因となる。
【０００５】
本発明は、以上の背景を鑑み、ホルダと、ホルダにヒンジ部を介して結合するカバーとを有する照明装置、及び照明装置を備えたドアトリムにおいて、ヒンジ部における光の漏れを防止することを課題とする。
【課題を解決するための手段】
【０００６】
上記課題を解決するために、本発明の一態様は、表面に発光素子（５）が実装された基板（７）を支持するホルダ（１０）と、前記ホルダにヒンジ部（４５）を介して連結され、前記ホルダと協働して前記基板を収容する収容室（４７）を画定するカバー（１１）と、前記発光素子からの光を導出するために前記カバーに設けられた導光部（４２）とを有する照明装置（１）であって、前記カバーを前記ホルダに対して閉じたときに、前記ホルダ及び前記カバーの一方から前記ヒンジ部における前記ホルダ及び前記カバーの合わせ面（７２Ａ、８２Ａ）を超えて延出する遮光片（７０）が設けられていることを特徴とする。
【０００７】
この構成によれば、遮光部がホルダ及びカバーの一方からヒンジ部におけるホルダ及びカバーの合わせ面を超えて延出している。これにより、発光素子によって発せられた光が遮光部によって遮られるため、合わせ面に侵入し難くなる。よって、光がヒンジ部に到達し難くなり、ヒンジ部から光が漏れることを防止することができる。
【０００８】
また、上記の態様において、前記ホルダが底壁（２３）と前記底壁の縁部に設けられた端壁（２５Ｂ）とを有し、前記ヒンジ部は前記端壁に結合され、前記遮光片が前記カバーから、前記カバーを前記ホルダに対して閉じたときに前記ホルダの前記端壁に重合すべく延出しているとよい。
【０００９】
この構成によれば、遮光部がカバーから延出した態様となるため、カバーが遮光部によって補強され、カバーの剛性を高めることができる。
【００１０】
また、上記の態様において、前記ホルダの前記端壁には、外方に向かって凹む凹部（８０）が設けられ、前記カバーを前記ホルダに対して閉じたときに、前記遮光片が前記凹部に受容されているとよい。
【００１１】
この態様によれば、外方に向かって凹み、遮光片を凹部に収容する凹部が端壁に形成されている。このように、凹部を設けることで、遮光片をより外方に配置することができるため、導光部に侵入する光が遮光片によって遮られ難くなる。
【００１２】
また、上記の態様において、前記凹部は、前記端壁の端部を外方に段違いに屈曲させることによって形成された段違い部（８１）を含むとよい。
【００１３】
この態様によれば、端壁の端部を段違いに屈曲させることによって凹部が形成される。これにより、端壁の端部を薄くすることなく凹部を形成することができるため、端壁の端部における光の漏れを防止することができる。
【００１４】
また、上記の態様において、前記段違い部の端部に外向きに延出するフランジ（８２）が設けられ、前記フランジの遊端に前記ヒンジ部が設けられているとよい。
【００１５】
この態様によれば、ヒンジ部が外向きに延出するフランジの外端に設けられる。そのため、発光素子から発した光がヒンジ部に到達し難くなる。
【００１６】
また、上記の態様において、前記段違い部は、前記底壁に略平行な水平壁（８１Ａ）と、前記水平壁に垂直な垂直壁（８１Ｂ）とを有し、前記遮光片が前記端壁よりも薄く、且つ、前記水平壁及び前記垂直壁に密接して配置されているとよい。
【００１７】
この態様によれば、遮光片が水平壁及び垂直壁に密接して配置される。これにより、光が遮光片と段違い部との間を通過し難くなるため、発光素子から発した光がヒンジ部に到達し難くなる。
【００１８】
また、上記の態様において、前記ホルダが前記底壁、及び前記端壁に接続し、互いに対向する一対のホルダ側壁（２４）を有し、前記カバーが、前記カバーを前記ホルダに対して閉じたときに、前記ホルダ側壁に重合するべきカバー側壁（４１）を有するとよい。
【００１９】
この態様によれば、カバーをホルダに対して閉じたときにホルダ側壁とカバー側壁とが重合する。これにより、発光素子からの光がホルダ及びカバーの間から漏れ難くなり、照明装置の意匠性の低下が防止できる。
【００２０】
また、上記の態様において、２つの前記ホルダ側壁がともに前記端壁に連続的に接続され、２つの前記カバー側壁がともに前記遮光片に連続的に接続されているとよい。
【００２１】
この態様によれば、ホルダ側壁が端壁によって接続されるため、ホルダの剛性が高められる。また、カバー側壁が遮光片によって接続されるため、カバーの剛性が高められる。
【００２２】
また、上記の態様において、前記導光部は前記カバーを貫通する孔部（４２Ａ）を含み、前記孔部が、２つの前記カバー側壁及び前記遮光片に囲まれている領域に配置されているとよい。
【００２３】
この態様によれば、孔部を設けることによるカバーの剛性の低下を抑えることができる。
【００２４】
また、上記の態様において、前記カバーが平板状の平板部（４０）を有し、前記平板部の収容室側を向く面に複数の補強リブ（５３）が設けられ、前記補強リブは前記遮光片に接続しているとよい。
【００２５】
この態様によれば、カバーが平板状の平板部を有し、平板部の内面側に補強リブが設けられて、補強リブが遮光片に接続されることによって、カバーを軽量化することができるとともに、カバーの剛性を高めることができる。更に、補強リブが収容室側を向く面に設けられることで、補強リブがカバーの外面に露出せず、意匠性を高めることができる。
【００２６】
また、上記の態様において、前記孔部に受容された導光体（１２）を更に有し、前記補強リブが前記孔部に突入し、前記導光体が衝当するべき位置決め部（５３Ａ）を形成しているとよい。
【００２７】
この態様によれば、補強リブが孔部に突入することによって、導光体の位置決め部が形成されるため、カバーを補強リブによって補強するとともに、位置決め部を形成することができる。これにより、補強リブとは別個に位置決め部設ける必要がなく、構成が簡素になる。
【００２８】
また、上記の態様において、前記ヒンジ部が樹脂ヒンジをなすとよい。
【００２９】
この態様によれば、ヒンジ部を簡素、且つ、軽量にすることができる。
【００３０】
また、上記の態様において、ドアトリム（２）であって、前記照明装置が設けられているとよい。
【００３１】
この態様によれば、発光素子によって発せられた光がヒンジ部から漏れ難いため、ドアトリムの意匠性を高めることができる。
【発明の効果】
【００３２】
本発明の一態様によれば、ホルダと、ホルダにヒンジ部を介して結合するカバーとを有する照明装置において、遮光部がホルダ及びカバーの一方からヒンジ部におけるホルダ及びカバーの合わせ面を超えて延出している。これにより、発光素子によって発せられた光が遮光部によって遮られるため、合わせ面に侵入し難くなる。よって、光がヒンジ部に到達し難くなり、ヒンジ部から光が漏れることを防止することができる。
【００３３】
また、上記の態様において、遮光部がカバーから延出した構成とすることによって、カバーが遮光部によって補強され、カバーの剛性を高めることができる。
【００３４】
また、上記の態様において、凹部に遮光片が受容された構成とすることによって、遮光片をより外方に配置することができるため、導光孔に侵入する光が遮光片によって遮られ難くなる。
【００３５】
また、上記の態様において、端壁の端部を段違いに屈曲させることによって凹部が形成された構成とすることによって、端壁の端部を薄くすることなく凹部を形成することができるため、端壁の端部における光の漏れを防止することができる。
【００３６】
また、上記の態様において、ヒンジ部が外向きに延出するフランジの外端に設けられる構成としたため、発光素子から発した光がヒンジ部に到達し難くなる。
【００３７】
また、上記の態様において、遮光片が水平壁及び垂直壁に密接して配置される構成としたため、光が遮光片と段違い部との間を通過し難くなる。これにより、発光素子から発した光がヒンジ部に到達し難くなる。
【００３８】
また、上記の態様において、カバーをホルダに対して閉じたときにホルダ側壁とカバー側壁とが重合する構成としたため、発光素子からの光がホルダ及びカバーの間から漏れ難くなる。これにより、照明装置の意匠性の低下が防止できる。
【００３９】
また、上記の態様において、ホルダ側壁が端壁によって接続される構成としたため、ホルダの剛性が高められる。また、カバー側壁が遮光片によって接続される構成としたため、カバーの剛性が高められる。
【００４０】
また、上記の態様において、導光部がカバーを貫通する孔部を含み、孔部が２つのカバー側壁及び遮光片に囲まれている領域に配置されている構成としたため、孔部を設けることによるカバーの剛性の低下を抑えることができる。
【００４１】
また、上記の態様において、カバーが平板状をなす平板部を有し、且つ、平板部の収容室側を向く面に複数の補強リブが設けられ、補強リブは前記遮光片に接続している構成としたため、カバーを軽量化することができるとともに、カバーの剛性を高めることができる。
【００４２】
また、上記の態様において、孔部に受容された導光体を更に有し、補強リブが孔部に突入し、補強リブが衝当するべき位置決め部を形成している構成としたため、補強リブによってカバーを補強できるとともに、位置決め部を形成することができる。これにより、補強リブとは別個に位置決め部設ける必要がなく、構成が簡素になる。
【００４３】
また、上記の態様において、ヒンジ部が樹脂ヒンジをなす構成としたため、ヒンジ部を簡素、且つ、軽量にすることができる。
【００４４】
また、上記の態様において、ドアトリムであって、照明装置が設けられた構成としたため、発光素子によって発せられた光がヒンジ部から漏れ難く、ドアトリムの意匠性を高めることができる。
【図面の簡単な説明】
【００４５】
【図１】実施形態に係るドアトリム
【図２】照明装置の斜視図
【図３】カバーが開かれているときの照明装置の斜視図
【図４】（Ａ）図３のＩＶＡ−ＩＶＡ断面図、及び（Ｂ）図２のＩＶＢ−ＩＶＢ断面図
【図５】別実施形態に係る照明装置のヒンジ部の斜視図
【発明を実施するための形態】
【００４６】
以下、図面を参照して、本発明の実施形態に係る照明装置、及びドアトリムを説明する。
【００４７】
照明装置１は図１に示すようにドアトリム２に設けられ、ドアポケット３の内部４を照らすための光を発する装置である。照明装置１は図２及び図３に示すように、発光素子５を含む電子部品６が表面に実装された基板７（図３参照）と、基板７に結合された複数の接続端子８（図３参照）と、基板７を収容する収容凹部９（図３参照）を備え、収容凹部９の内部において基板７を支持するホルダ１０と、収容凹部９を覆うためのカバー１１（図２参照）と、カバー１１に結合された導光体１２（図２参照）とを有している。
【００４８】
図３に示すように、基板７はいわゆるプリント基板であって、略長方形の板状をなしている。電子部品６は基板７の表面に半田付けされている。電子部品６としては、例えば、チップ抵抗器を含んでいても良い。本実施形態では発光素子５は白色のＬＥＤであるが、それには限定されず、発光素子５は電力によって光を発する素子、例えば、青色のＬＥＤや、有機ＥＬ素子、小型の電球等であってもよい。発光素子５は基板７の概ね中央であって、一方（図１の紙面右側）の短辺寄りの位置に設けられている。基板７の他方（図１の紙面左側）の短辺側には、その縁部に沿って複数の貫通孔１３が設けられている。
【００４９】
接続端子８は金属棒状の部材であり、側面視で上方に凸の半円弧状をなす円弧部１５と、円弧部１５の一端から略水平に延出する延出部１６とを備えている。円弧部１５の他端は基板７の表面側から貫通孔１３に挿入されて半田付けされている。これにより、接続端子８は電子部品６に電気的に接続されている。
【００５０】
ホルダ１０は樹脂製の部材であり、図２及び図３に示すように、一方向に延在する主部２０と、主部２０の延在方向一端側に結合されたコネクタ部２１とを備えている。
【００５１】
図３に示すように、主部２０は平面視で略長方形板状の底壁２３（図４（Ａ）参照）と、底壁２３の長辺側の縁部に沿って設けられた一対の横壁２４（ホルダ側壁）と、底壁２３の短辺側の縁部に沿って設けられた一対の縦壁２５とを備えている。主部２０には底壁２３、横壁２４及び縦壁２５によって、図２に示すように、基板７を収容する収容凹部９が画定されている。以下では、収容凹部９の開口方向を上方と規定する。また、主部２０の延在方向に沿う方向を左右方向とし、主部２０に対してコネクタ部２１が設けられた側を左方と規定する。左右方向及び上方に直交する方向を前後方向と規定する。また、必要に応じて、収容凹部９から離れる方向（側）を外方（外側）、収容凹部９に向かう方向（側）を内方（内側）と記載する。
【００５２】
図４（Ａ）に示すように、底壁２３の長辺側の両縁部にはそれぞれ横壁２４に沿って底壁２３の上面に対して段違いに形成された第１段部２７と、第１段部２７に対して更に上方に段違いに形成された第２段部２８とが設けられている。第１段部２７及び第２段部２８はそれぞれ内方を向く面と上方に向く面とを備えている。また、第１段部２７及び第２段部２８はそれぞれ外端において、横壁２４の基端側（下端側）に結合している。
【００５３】
第１段部２７の上面にはそれぞれ、上方に突出する複数の突起部２９が設けられている。突起部２９の上面はそれぞれ面一となるように形成されている。図４（Ｂ）に示すように、基板７は裏面において突起部２９の上面に当接するように配置されている。図３に示すように、基板７は長辺側の側面それぞれにおいて第２段部２８の内方に向く面に当接している。これにより、基板７の短辺に平行な方向の移動が規制されている。
【００５４】
図３に示すように、コネクタ部２１は主部２０の延在方向に沿って延びる四角筒状をなしている。コネクタ部２１は上下に対をなす上壁３１及び下壁と、前後に対をなす前壁及び後壁３２とを備えている。コネクタ部２１は主部２０の一方側（紙面左側）の縦壁２５（以下、接続壁２５Ａ）に結合されている。接続壁２５Ａにはその上縁に沿って略方形の切欠部３３が形成されている。これにより、収容凹部９とコネクタ部２１の内部とが切欠部３３を介して連通している。接続壁２５Ａの上面には下方に凹む溝部３４が複数形成されている。溝部３４には接続端子８の延出部１６の基端側が収容され、延出部１６の延出端はコネクタ部２１の内部に達している。これによって、コネクタ部２１に外部コネクタを挿入し、外部コネクタの端子を接続端子８に接続することによって、発光素子５に電力を供給することが可能となる。
【００５５】
コネクタ部２１の上壁３１には、その右縁に沿って略方形の開口部３６が設けられている。これにより、収容凹部９がカバー１１によって覆われていない、すなわちホルダ１０が閉じられていないときには、コネクタ部２１の内部と外部とが開口部３６を介して連通し、接続端子８を外部から視認することができる。
【００５６】
横壁２４、第１段部２７及び第２段部２８はそれぞれ一端側（コネクタ部２１の側）において接続壁２５Ａに接続している。また、横壁２４、第１段部２７及び第２段部２８はそれぞれ他端側（紙面右側）において他方側の縦壁２５（以下、端壁２５Ｂ）に接続している。すなわち、２つの横壁２４がともに端壁２５Ｂによって連続的に接続されている。２つの横壁２４が端壁２５Ｂによって接続されることによって、ホルダ１０の剛性を高められている。
【００５７】
カバー１１は樹脂製の部材であり、図２及び図３に示すように、上面視で略長方形状をなすカバー本体部３８と、カバー本体部３８の短辺側に結合されたカバー延在部３９とを備えている。
【００５８】
図３に示すように、カバー本体部３８は、略長方形状をなす平板状の平板部４０と、平板部４０の長辺側の各縁部に沿って設けられた一対のカバー側壁４１と、平板部４０に設けられた導光部４２とを備えている。導光部４２は発光素子５からの光を導光体１２に導出するための部分であり、平板部４０を貫通する導光孔４２Ａ（孔部）と、導光孔４２Ａに整合する位置に設けられた筒部４２Ｂを備えている。導光部４２は、孔ではなく、光を透過可能なレンズから構成されていてもよい。
【００５９】
カバー延在部３９はカバー本体部３８の平板部４０の一方側の短辺において結合されている。カバー延在部３９は平板部４０に沿って延びる板状をなしている。カバー延在部３９は上面視でコネクタ部２１の上壁３１に設けられた開口部３６に対応する略方形をなしている。
【００６０】
平板部４０の他方側の短辺にはホルダ１０の端壁２５Ｂの上端がヒンジ部４５を介して連結されている。すなわち、ホルダ１０の端壁２５Ｂの上端にはヒンジ部４５が結合され、そのヒンジ部４５に平板部４０の他方側の短辺が結合している。
【００６１】
図４（Ａ）及び図４（Ｂ）に示すように、ヒンジ部４５を略９０度折り曲げることによって、収容凹部９がカバー１１によって覆われる。すなわち、ホルダ１０がカバー１１によって閉じられ、これにより、基板７を収容する収容室４７（図４（Ｂ）参照）が形成される。換言すれば、カバー１１及びホルダ１０の協働によって収容室４７が画定される。図４（Ｂ）に示すように、ホルダ１０がカバー１１によって閉じられたとき、平板部４０はその主面のうち一方側の面が収容凹部９（すなわち、収容室４７）の側を向くように配置されている。以下では、平板部４０の主面のうち、収容凹部９の側を向く面を平板部４０の裏面４０Ａと記載し、逆側の面を平板部４０の表面４０Ｂと記載する。
【００６２】
図３に示すように、カバー側壁４１はそれぞれ平板部４０の裏面４０Ａから平板部４０に対して略垂直に延出した板状をなしている。２つのカバー側壁４１は平板部４０の裏面４０Ａにおいて互いに対向している。ホルダ１０がカバー１１によって閉じられたときには、カバー側壁４１はそれぞれ、横壁２４（ホルダ側壁）の内面に沿って配置される。これにより、図２及び図４（Ｂ）に示すように、カバー側壁４１はそれぞれ、側面視（前後方向視）で横壁２４に重なり合っている（重合している）。
【００６３】
図３に示すように、カバー側壁４１の互いに離反する方向を向く面、すなわち外面にはそれぞれ、外方に突出する装着爪５０が複数設けられている。装着爪５０はカバー側壁４１の外面において互いに離間した位置に形成されている。横壁２４には装着爪５０に対応する位置に貫通孔である装着孔５１が設けられている。収容凹部９がカバー１１によって閉じられたときには、装着爪５０はそれぞれ対応する装着孔５１に係合する。これによって、カバー１１が意図せず開かれることが防止される。
【００６４】
本実施形態では、図４（Ｂ）に示すように、ホルダ１０がカバー１１によって閉じられたときには、カバー側壁４１はその端面において基板７の上面に当接している。これにより、基板７はカバー側壁４１と突起部２９との間に挟持されて、その上下方向の移動が規制されている。
【００６５】
図３に示すように、平板部４０の裏面４０Ａには、カバー側壁４１と略平行、すなわち平板部４０の長手方向に延在する複数の補強リブ５３が設けられている。本実施形態では、補強リブ５３は２つ設けられ、それぞれ異なるカバー側壁４１に隣接している。平板部４０を平板状とし、かつ、その裏面４０Ａに補強リブ５３を設けることで、カバー１１の剛性の低下させることなく、カバー１１を軽量化することができる。また、補強リブ５３を平板部４０の裏面４０Ａ、すなわち、収容室４７の側を向く面に設けることで、補強リブ５３が照明装置１の外面に露出せず、補強リブ５３が表面４０Ｂに設けられた場合比べて、照明装置１の意匠性を高めることができる。
【００６６】
導光孔４２Ａは略円形をなしている。導光孔４２Ａは２つのカバー側壁４１の間であり、且つ平板部４０のヒンジ部４５の側に偏った位置に形成されている。図４（Ｂ）に示すように、ホルダ１０がカバー１１によって閉じられたときには、導光孔４２Ａは発光素子５に整合する位置、より具体的には発光素子５の上方に位置している。これにより、導光孔４２Ａは発光素子５からの光を導光体１２に導出して照明装置１の外部に取り出すための孔として効果的に機能する。
【００６７】
筒部４２Ｂはカバー本体部３８の外面、より具体的には平板部４０の表面４０Ｂに設けられている。筒部４２Ｂは円筒状をなし、平板部４０の表面４０Ｂに対して略垂直に延びている。筒部４２Ｂは導光孔４２Ａの縁部に沿って平板部４０に結合されている。筒部４２Ｂは導光孔４２Ａに整合した位置、すなわち筒部４２Ｂはその軸線が導光孔４２Ａの軸線に沿うように配置されている。
【００６８】
導光体１２は一方向に延びた円柱状の部材であり、光を透過させることのできる無色透明な樹脂によって形成されている。導光体１２は筒部４２Ｂの内径と概ね等しい外径を有しているとよい。導光体１２は図２及び図４（Ｂ）に示すように、導光体１２の一端側は筒部４２Ｂに挿入されてその端部は導光孔４２Ａに受容されている。
【００６９】
図３に示すように、補強リブ５３の一部が導光孔４２Ａに突入し、上面視で導光孔４２Ａの内部に向かって突出している。図４（Ｂ）に示すように、導光体１２が挿入されるときには、導光体１２の一端側の端面が導光孔４２Ａに突入した補強リブ５３に衝当するまで挿入される。すなわち、補強リブ５３の導光孔４２Ａに突入した部分（図３の５３Ａ）は導光体１２が導光孔４２Ａより内側に挿入されることを防止し、導光体１２の位置を決める位置決め部５３Ａとして機能している。このように、補強リブ５３の一部を導光孔４２Ａに突入させることによって、導光体１２の位置を決める位置決め部５３Ａを構成したため、別途位置決め部を設ける必要がなく、構成を簡素にすることができる。
【００７０】
本実施形態では、筒部４２Ｂの上端部には、筒部４２Ｂの内孔側に突出する抜止片５７が複数設けられている。抜止片５７は導光体１２が筒部４２Ｂに挿入されたときに、導光体１２の外周面に弾発的に当接する。これにより、導光体１２が筒部４２Ｂから抜け出すことをより確実に防止することができる。
【００７１】
図１に示すように、照明装置１のホルダ１０及びカバー１１はドアトリム２の車外側に結合され、導光体１２はドアトリム２に前後に延在するように支持されている。導光体１２の一部はドアポケット３の内部に収容されて、ドアポケット３の前端から後端近傍に達している。発光素子５が発光し、その光が導光体１２に延在方向における端部に入射すると、導光体１２全体が発光する。これにより、導光体１２からの発光によってドアポケット３の前端から後端近傍までが照らされるため、乗員が容易にドアポケット３の内部の収容物を容易に視認することができる。
【００７２】
図４（Ａ）に示すように、ヒンジ部４５は樹脂ヒンジであり、本実施形態では、ヒンジ部４５は２つの板部６２と、両板部６２の間に設けられた薄肉部６４を有するリビングヒンジである。ヒンジ部４５を樹脂ヒンジとすることによって、ヒンジ部４５を簡素、且つ、軽量にすることができる。また、図２に示すように、ヒンジ部４５をリビングヒンジとすることによって、ホルダ１０、カバー１１及びヒンジ部４５を樹脂によって一体形成することができる。これにより、照明装置１の製造工程を簡素にすることができる。
【００７３】
図４（Ｂ）に示すように、薄肉部６４を容易に折曲変形可能とするため、薄肉部６４の肉厚は可能な限り小さいことが望ましい。そのため、薄肉部６４は光が透過し易く、発光素子５から発した光が薄肉部６４から漏れることがある。このような光の漏れによって、照明装置１の意匠性が低下する。よって、光の漏れを防止すべく、照明装置１には遮光片７０が設けられている。
【００７４】
図３及び図４（Ａ）に示すように、遮光片７０はカバー本体部３８の裏面、より詳細には平板部４０の裏面に設けられている。図３に示すように、遮光片７０はカバー本体部３８のヒンジ部４５の側の短辺に沿って延在するリブ状をなしている。このように遮光片７０をカバー本体部３８に設けることによって、カバー本体部３８の剛性を高めることができる。遮光片７０の両端はそれぞれカバー側壁４１のヒンジ部４５の側の端面に接続している。すなわち、２つのカバー側壁４１が遮光片７０に連続的に接続されている。このようにカバー側壁４１が遮光片７０によって接続されることによって、カバー１１の剛性が高められている。また、補強リブ５３はそれぞれ、ヒンジ部４５の側の端部において遮光片７０に接続している。これにより、カバー１１の剛性がより高められている。
【００７５】
導光孔４２Ａは２つのカバー側壁４１及び遮光片７０に囲まれている領域内に位置している。２つのカバー側壁４１及び遮光片７０に囲まれている領域は、カバー本体部３８がカバー側壁４１及び遮光片７０によって補強されているため、その剛性が他の部分に比べて高い。このように、導光孔４２Ａを２つのカバー側壁４１及び遮光片７０に囲まれている領域内に設けることによって、導光孔４２Ａを設けることによるカバー１１の剛性の低下を抑えることができる。本実施形態では、２つの補強リブ５３の外縁（平板部４０の外縁側の縁部）の間に位置しているため、導光孔４２Ａは平板部４０においてより剛性の高い部分に設けられている。これにより、カバー１１の剛性の低下をより抑えることができる。
【００７６】
カバー本体部３８には更に、遮光片７０の基端から平板部４０と略平行な板状をなして延出するフランジ７２が設けられている。フランジ７２は、図４（Ａ）及び（Ｂ）に示すように、その延出端、すなわち遊端において薄肉部６４に結合している。
【００７７】
ホルダ１０の端壁２５Ｂには、その上端に外方に向かって凹む受容凹部８０が設けられている。受容凹部８０は端壁２５Ｂの上端部を外方に段違いに屈曲させることによって形成された段違い部８１と、段違い部８１の上端縁からホルダ１０の底壁２３に平行且つ外向き（収容室４７から離れる側、図４（Ｂ）の紙面右側）に板状をなして延出するフランジ８２とを含んでいる。段違い部８１は、底壁に略平行な水平壁８１Ａと、水平壁８１Ａの外端から上方に延出する垂直壁８１Ｂとを有している。水平壁８１Ａと垂直壁８１Ｂの厚さはともに、端壁２５Ｂの段違い部８１の下側の部分の厚さと概ね等しい。フランジ８２は基端側で垂直壁８１Ｂの上端縁に結合している。図４（Ａ）及び（Ｂ）に示すように、フランジ８２はその延出端、すなわち遊端において薄肉部６４に結合している。
【００７８】
図４（Ｂ）に示すように、カバー１１によって収容凹部９が覆われたとき、すなわち、カバー１１によってホルダ１０が閉じられたときには、薄肉部６４において折り曲げられて、２つのフランジ７２、８２は互いに対向する。すなわち、２つのフランジ７２、８２がそれぞれ板部６２として機能し、フランジ７２、８２の互いに対向する面がそれぞれ合わせ面７２Ａ、８２Ａとなる。より具体的には、カバー１１のフランジ７２の裏側の面が合わせ面７２Ａとなり、ホルダ１０のフランジ８２の上面が合わせ面８２Ａとなる。
【００７９】
カバー１１によってホルダ１０が閉じられたときには、遮光片７０はカバー本体部３８からその２つの合わせ面７２Ａ、８２Ａを超えてホルダ１０の底壁２３に向かって下方に延出している。このとき、遮光片７０はその延出端において左右方向視で端壁２５Ｂの上端部に重合している。
【００８０】
図４（Ｂ）に示すように、カバー１１によってホルダ１０が閉じられたときには、遮光片７０は受容凹部８０の内部に位置し、受容凹部８０に受容されている。遮光片７０は端壁２５Ｂの上下方向における略中央部分の内側の面２５Ｃよりも外側に位置している。遮光片７０の厚み（延在方向に直交する方向の幅）は端壁２５Ｂの段違い部８１より下側の部分の厚みよりも小さく、遮光片７０は端壁２５Ｂの段違い部８１の下側の部分と上下方向に整合する位置にある。このように、遮光片７０の厚さを設定することによって、段違い部８１における端壁２５Ｂの外方への突出量を小さくすることができる。また、遮光片７０はカバー１１によってホルダ１０が閉じられたときに垂直壁８１Ｂ及び水平壁８１Ａに可能な限り密接した位置に配置されていることが好ましい。
【００８１】
次に照明装置１及び照明装置１が設けられたドアトリム２の効果について説明する。発光素子５から発した光の一部は収容室４７を画定する壁面や導光体１２の端面において反射されて、ヒンジ部４５に向かって進む。
【００８２】
図４（Ｂ）に示すように、カバー１１によってホルダ１０が閉じられたときには、遮光片７０がカバー１１からヒンジ部４５におけるカバー１１の側の合わせ面７２Ａ及びホルダ１０の側の合わせ面８２Ａを超えてホルダ１０の側に延出している。これにより、２つの合わせ面７２Ａ、８２Ａの間に向かって進む光が遮光片７０によって遮られるため、２つの合わせ面７２Ａ、８２Ａの間に光が侵入し難くなる。よって、光が薄肉部６４に到達し難くなり、薄肉部６４からの光の漏れを防止することができる。
【００８３】
また、本実施形態では、遮光片７０が水平壁８１Ａ及び垂直壁８１Ｂに可能な限り密接して配置されている。これにより、遮光片７０及び水平壁８１Ａの間の隙間と、遮光片７０及び垂直壁８１Ｂの間の隙間とがそれぞれ小さくなり、それぞれの隙間を光が通過し難くなる。これにより、発光素子５から発した光が薄肉部６４に到達し難くなるため、薄肉部６４からの光の漏れを防止することができる。
【００８４】
光が２つの合わせ面７２Ａ、８２Ａの間に侵入した場合には、侵入した光が合わせ面７２Ａ、８２Ａにおいて反射されて薄肉部６４に達する。合わせ面７２Ａ、８２Ａにおいて光が反射されるときにはその進行方向がランダムになり易く、また、反射された光の強度は反射前に比べて減少する。本実施形態では、薄肉部６４は外側に延出する２つのフランジ７２、８２の外縁に設けられている。これにより、２つの合わせ面７２Ａ、８２Ａの間に侵入した光が薄肉部６４に達し難くなる。また、合わせ面７２Ａ、８２Ａの間に侵入した光が合わせ面７２Ａ、８２Ａに反射されて薄肉部６４に達する場合であっても、その光が薄肉部６４に達するまでに反射される回数を増やすことができる。これにより、光が合わせ面７２Ａ、８２Ａに反射されて薄肉部６４に到達する場合においても、その光の強度が小さくなり、薄肉部６４から漏れる光の強度を低減することができる。
【００８５】
カバー１１とホルダ１０とによって構成される照明装置１においては、カバー１１とホルダ１０との間の隙間から光が漏れ易い。本発明に係る照明装置１では、カバー１１をホルダ１０に対して閉じたときに、横壁２４（ホルダ側壁）に側面視（前後方向視）で重なり合うカバー側壁４１がカバー１１に設けられている。このように、横壁２４とカバー側壁４１とが重なり合うことで、発光素子５から発せられた光が横壁２４及びカバー側壁４１によって遮られて、カバー１１とホルダ１０の間の隙間に到達し難くなる。これにより、発光素子５からの光がホルダ１０及びカバー１１の間から漏れ難くなり、照明装置１の意匠性の低下が防止できる。本実施形態では、更に、カバー側壁４１はその端部において基板７の上面に当接しているため、カバー側壁４１と横壁２４との間の隙間に光が侵入しにくい。これにより、発光素子５からの光がホルダ１０及びカバー１１の間からより漏れ難くなる。
【００８６】
端壁２５Ｂの上端部に外方に凹む受容凹部８０が設けられ、その受容凹部８０に遮光片７０が受容されている。このように構成することによって、端壁２５Ｂの中央部分における内側の面２５Ｃに比べて遮光片７０を外側（図４（Ｂ）の右側）に配置することができる。このように配置することによって、遮光片７０が収容室４７の内側に突出せず、導光孔４２Ａに侵入する光が遮光片７０によって遮られ難くなる。
【００８７】
端壁２５Ｂの上端部に外方に凹む凹部を設ける方法として、上端部の壁の厚みを薄くすることによって、上端部を陥没させることが考えられる。その場合には、上端部の壁の厚みが小さくなるため、光が透過し易くなり、上端部から光が漏れる虞がある。本実施形態では、受容凹部８０は端壁２５Ｂの上端部を段違いに屈曲させることによって形成されているため、受容凹部８０を形成する部分の壁の厚さは端壁２５Ｂの他の部分と概ね等しい。そのため、受容凹部８０を形成する部分の剛性の低下を防止できるとともに、受容凹部８０から外側に光が漏れることを防止することができる。
【００８８】
照明装置１をドアトリム２に設けることによって、導光体１２以外の場所において発光することを防止することができる。これにより、ドアトリム２の意匠性を高めることができる。
【００８９】
以上で具体的実施形態の説明を終えるが、本発明は上記実施形態に限定されることなく幅広く変形実施することができる。上記実施形態の照明装置１には導光体１２が設けられていたが必須ではなく、筒部４２Ｂを通った光がドアポケット３の内部を直接照らすように、ドアトリム２に照明装置１を設けてもよい。
【００９０】
上記実施形態では遮光片７０がカバー１１に、受容凹部８０がホルダ１０にそれぞれ設けられていたが、この態様には限定されない。例えば、遮光片７０がホルダ１０に、受容凹部８０がカバー１１にそれぞれ設けられる態様であってもよい。但し、照明装置１を組み立てやすくするため、カバー１１の板厚を小さくしてカバー１１を軽量化することがある。その場合には、遮光片７０をカバー１１に設けることによって、ヒンジ部４５における光の漏れを防止するとともに、カバー１１の板厚を増やすことなく、カバー１１の剛性を高めることができる。
【００９１】
上記実施形態では図４（Ｂ）に示すように、カバー１１をホルダ１０に対して閉じた後に、２つのフランジ７２、８２が薄肉部６４によって接続されていたが、この態様には限定されない。ヒンジ部４５の折曲可能な回数が少なくとも１回であればよく、例えば、カバー１１をホルダ１０に対して閉じた後に、薄肉部６４が全て破断する構成（図５（Ａ））や、薄肉部６４が一部破断する構成（図５（Ｂ））であってもよい。
【符号の説明】
【００９２】
１      ：照明装置
２      ：ドアトリム
５      ：発光素子
７      ：基板
１０    ：ホルダ
１１    ：カバー
１２    ：導光体
２３    ：底壁
２４    ：横壁（ホルダ側壁）
２５Ｂ  ：端壁
４０    ：平板部
４１    ：カバー側壁
４２    ：導光部
４２Ａ  ：導光孔（孔部）
４５    ：ヒンジ部
４７    ：収容室
５３    ：補強リブ
５３Ａ  ：位置決め部
７０    ：遮光片
７２    ：フランジ
７２Ａ  ：合わせ面
８０    ：受容凹部
８１    ：段違い部
８１Ａ  ：水平壁
８１Ｂ  ：垂直壁
８２    ：フランジ
８２Ａ  ：合わせ面
【図１】
2020021645.tif 000003
【図２】
2020021645.tif 000004
【図３】
2020021645.tif 000005
【図４】
2020021645.tif 000006
【図５】
2020021645.tif 000007